(57)【特許請求の範囲】
【請求項１】
ガス容器を収納する収納部と，前記ガス容器が取り外し可能に連結され，前記ガス容器のガス供給を制御する調節部と，前記調節部と連結されてガス供給を伝達する配管部と，を備える供給部と，
前記配管部に連結されてガス供給を伝達されてガス燃焼を行う燃焼部と，前記燃焼部の周りに折り畳まれるか拡開されるようにヒンジ結合されて容器を支える複数の支持部と，を備える調理部と，
前記供給部と前記調理部を連結し，前記配管部がガス供給を伝達するように配置され，本体ヒンジ部を介して前記供給部と互いに屈折可能にヒンジ結合されて折り畳まれるか拡開される延長部と，を含み，
折り畳みモードの際には，前記供給部の一端が前記調理部の一端にまたは前記延長部の他端に位置し，前記供給部と前記延長部は互いに並んで整列されて，ガスコンロの幅が最小になるように構成され，展開モードの際には供給部と調理部が最大に遠くなるように提供され，
前記支持部は，
前記調理部の他端に回動可能に連結された第１及び第２外側回転ピンと，
一端が前記第１外側回転ピンに垂直するように両端に連結されて前記第１外側回転ピンを中心に回転可能な一対の第１外側延長ピンと，
前記第１外側延長ピンの他端にそれぞれ連結されて前記第１外側延長ピンを支持し，前記収納部の側面と対応する形状である第１外側支持ピンと，
一端が前記第２外側回転ピンに垂直するように両端に連結されて前記第２外側回転ピンを中心に回転可能な一対の第２外側延長ピンと，
前記第２外側延長ピンの他端にそれぞれ連結されて前記第２外側延長ピンを支持し，前記延長部の側面と対応する形状である第２外側支持ピンと，
前記調理部の一端に回動可能に連結された第１及び第２内側回転ピンと，
一端が前記第１内側回転ピンに垂直するように両端に連結されて前記第１内側回転ピンを中心に回転可能な一対の第１内側延長ピンと，
前記第１内側延長ピンの他端にそれぞれ連結されて前記第１内側延長ピンを支持し，前記収納部の側面と対応する形状である第１内側支持ピンと，
一端が前記第２内側回転ピンに垂直するように両端に連結されて前記第２内側回転ピンを中心に回転可能な一対の第２内側延長ピンと，
前記第２内側延長ピンの他端にそれぞれ連結されて前記第２内側延長ピンを支持し，前記延長部の側面と対応する形状である第２内側支持ピンと，を備え，
折り畳みモードの際には，前記第１及び第２外側延長ピンと前記第１及び第２内側延長ピンは前記収納部の長さ方向と並んで配置され，前記第１外側支持ピンと前記第１内側支持ピンは前記収納部の側面の周りに配置されて包み，前記第２外側支持ピンと前記第２内側支持ピンは前記延長部の側面の周りに配置されて包み，
展開モードの際には，前記第１及び第２外側延長ピンと前記第１及び第２内側延長ピンは前記燃焼部を中心に放射状に配置され，前記第１及び第２外側支持ピンと前記第１及び第２内側支持ピンを介して前記容器を支える，ガスコンロ。
【請求項２】
ガス容器を収納する収納部と，前記ガス容器が取り外し可能に連結され，前記ガス容器のガス供給を制御する調節部と，前記調節部と連結されてガス供給を伝達する配管部と，を備える供給部と，
前記配管部に連結されてガス供給を伝達されてガス燃焼を行う燃焼部と，前記燃焼部の周りに折り畳まれるか拡開されるようにヒンジ結合されて容器を支える複数の支持部と，を備える調理部と，
前記供給部と前記調理部を連結し，前記配管部がガス供給を伝達するように配置され，本体ヒンジ部を介して前記供給部と互いに屈折可能にヒンジ結合されて折り畳まれるか拡開されるようになっている延長部と，を含み，
折り畳みモードの際には，前記供給部の一端が前記調理部の一端にまたは前記延長部の他端に位置し，前記供給部と前記延長部は互いに並んで整列されて，ガスコンロの幅が最小になるように構成され，展開モードの際には供給部と調理部が最大に遠くなるように提供され，
前記支持部は，
前記燃焼部に回動可能に上下方向に連結された２つ以上の回転ピンと，
それぞれの前記回転ピンの上端に連結されて水平配置され，前記回転ピンを中心に回転可能な３つ以上の水平本体と，
それぞれの前記水平本体に連結されて前記水平本体を支持し，前記収納部の側面と対応する形状である３つ以上の垂直本体と，を備え，
折り畳みモードの際には，前記水平本体は前記供給部に向かって前記供給部と並んで整列され，前記垂直本体は前記収納部の側面の周りに配置されて包み，
展開モードの際には，前記水平本体は前記燃焼部を中心に放射状に配置され，前記垂直本体を介して前記容器を支える，ガスコンロ。
【請求項３】
前記配管部は，屈折可能な配管ヒンジ部を更に含み，前記配管ヒンジ部は，前記ガスコンロの本体ヒンジ部が屈折することに伴って屈折することを特徴とする請求項１または請求項２記載のガスコンロ。
【発明の詳細な説明】
【技術分野】
【０００１】
本発明は，屋内及び屋外で飲食物を調理するために使用される携帯が容易なガスコンロに関する。
【背景技術】
【０００２】
従来のガスコンロは，図１Ｂに示すような登録実用新案第２０−０１７０５２２号（１９９９．１１．２７）に開示されており，その概要は，ガスが噴射されるバーナーヘッドが収納されるバーナーヘッドケース１１と，前記バーナーヘッドにガスを供給するガス容器１３が収納されるガス容器ケース１４を有するガスコンロにおいて，前記ガス容器ケースの一端は，ヒンジ部材によって前記バーナーヘッドケースの一端に結合され，前記ガス容器ケースとバーナーヘッドケースが前記ヒンジ部材を軸にして拡開できるように構成される。
【０００３】
前記ヒンジ部材２０は，前記バーナーヘッドケースの側部に固定される第１ヒンジ板２２と，前記第１ヒンジ板２２にヒンジ結合され，前記ガス容器ケースの側部に固定される第２ヒンジ板２４を供えるか，前記バーナーヘッドケースの上部に固定される第１ヒンジ板３２と，その第１ヒンジ板３２に対して上下方向に回転されるように前記第１ヒンジ板３２にヒンジ結合される第２ヒンジ板３４に対して結合され，前記ガス容器ケース１４の側部に固定される第３ヒンジ板３６を備える。
【０００４】
前記ヒンジ部材から所定距離はなれたバーナーヘッドケースの側部には溝１２ａが形成されており，前記溝１２ａに対応するガス容器ケースの側部にはその溝１２ａに差し込まれる突起１４ａが形成される。前記溝と突起は，バーナーヘッドケースとガス容器ケースが完全に接合された状態を維持する。
【０００５】
バーナーヘッドとガス容器１３は，バーナーヘッドケースとガス容器ケースの外部に露出されるガス供給管１５で連結されている。ガス供給管は，バーナーヘッドケースとガス容器ケースが離間するか接合する際に安定的にバーナーヘッドにガスを供給するようにゴムのような可撓性の材質からなっており，外部の衝撃や熱によって破損しないようにガラス繊維や鉄繊維でコーティングされている。
【０００６】
ガス容器ケース１４にはバーナーヘッド１１ａにスパークを発生する圧電素子（図示せず）が設けられるが，その圧電素子に衝撃を加え印加すると共にバーナーヘッドに供給されるガス量を調節する自動点火ガス量調節ノブ１６が設けられている。そして，ガス容器ケースには自動点火ガス量調節ノブ１６にガス容器の噴射ノズル（図示せず）を連結するために，ガス容器を自動点火ガス量調節ノブ１６側に移動させる容器取付レバー１７が設置される。
【０００７】
このような構造のガスコンロは，容器取付レバー１７を下方に下ろしてガス噴射ノズルを自動点火ガス量調節ノブに連結した後，自動点火ガス量調節ノブ１６を回転させて圧電素子に衝撃を加えてバーナーヘッド１１にスパークを発生させると，バーナーヘッド１１から発生するガスが点火される。この際，自動点火ガス量調節ノブ１６を適切に回転させると燃焼量を調節することができる。
【０００８】
また，図１Ｃには，燃料取付部１４，バーナー部１１，及びジョイント部を含む特許第１０−１４７９４０１号（２０１４．１２．２９携帯型ガスコンロ）が開示されており，その概略的な内容は，
燃料取付部は，上面が開口されて内部にガス容器が取り外し可能に収納される本体と，この本体の上面開口部を開閉する蓋で構成されており，前記蓋は本体とヒンジ連結されている。そして，燃料取付部の内部にはガス容器のガス出口とねじ結合方式で連結状態を維持するアダプタがある。燃料装着部の一方側面には第１斜面が形成されており，前記第１斜面は，ボルト及びナットなどの締結部材を利用して燃料取付部の側面に結合固定してもよい。
【０００９】
バーナー部は，燃料取付部からガス容器の燃料を供給されて点火及び燃焼させるように備えられている。バーナー部の一側には燃料取付部のアダプタとガス供給管１５によって連結され，水平方向に摺動可能であって，その摺動位置に応じてガスが噴出される火口にガス容器のガスを供給及び調節して  火力の強度を調節（制御）し，併せて火力点火スイッチ１６，１７を作動してガスを点火する点火レバー１６，１７が備えられている。すなわち，ガス点火レバーを左側に摺動させると，アダプタに連結されたガス容器のガスがガス供給管を介して火口１１ａに供給されると共に点火スイッチを作動させてガスを点火することができ，この状態で点火レバーを右側に摺動させると，火口に供給されるガスの吐出量を段階別に減らすか完全に遮断するように制御することができる。
【００１０】
ここで，点火スイッチは電気的接触などの外力を受けるとスパークが発生する公知の圧電素子に具現されてもよく，併せて火口にガスを供給する状態で作動するように点火レバーと連動するように設置してもよい。
【００１１】
そして，バーナー部の火口１１ａの周りには使用時に各種の調理道具を安定的に支えながらバーナー部が仮想の地面に対して水平状態に置かれるように支持する支持台１１ｂがバーナー部の上下外側の周りでバーナー部を包むように配置されたまま，水平方向に回転可能に取り付けられている。支持台の上面には，その上に置かれる調理道具が滑ることを防止するノンスリップ溝が形成されており，下面はバーナー部を水平状態に維持するために地面と水平に接触するように形成されている。
【００１２】
燃料取付部と対向するバーナー部の側面には，第１斜面に対応する第２斜面が形成されている。第２斜面は第１斜面及びジョイント部とともに一種のヒンジ部をなし，前記第２斜面はバーナー部のケーシングとは別に成形した後，ボルト及びナット等の締結部材を利用してバーナー部の側面に結合固定されてもよい。ジョイント部は，第１斜面と第２斜面の中心部をヒンジ継手方式で連結し，燃料取付部がバーナー部に対して垂直に折られるか水平に拡開されるように設けられている。
【００１３】
第１斜面と第２斜面の互いに向い合う縁には，互いに対応結合しながらバーナー部に対する燃料取付部の回転角度及び位置を設定及び維持する位置決定溝及び位置決定突起が形成されている。摩擦力によるトルクを発生する凹凸部を，それぞれ対応して形成する。
【発明の概要】
【発明が解決しようとする課題】
【００１４】
しかし，図１Ｂの従来技術は，非使用時（携帯・保管時）に全くガスコンロの体積を減らすことができない。使用時に燃焼が行われる調理部１１とガスを供給する供給部１４の距離において，他側のみより遠くすることができるのみである。その理由は，通常状態で調理部１１が供給部１４の本体側面に位置した状態でヒンジ部２０で結合された状態であるため，一側は常に突き当たっており，そのため他側も距離を大きく離すことができない。
【００１５】
図１Ｃの従来技術は，まず，斜面を形成して連結するため製作上容易ではなく，それによって製作コストが上がる恐れがある。また，非使用時には調理部１１と供給部１４が一列に延びるため，逆に長さｄ１が長くなる。それによって，屋外活動のための携帯・保管が不便である。特に，使用時には元の状態より遠く離れるべき調理部１１と供給部１４の距離ｄ１が，Ｌ字状の形になるため逆に近くなる構造的矛盾がある。
【課題を解決するための手段】
【００１６】
本発明のガスコンロは，上述した問題点を解決するために，
ガス容器を収納する収納部と，前記ガス容器が取り外し可能に連結され，前記ガス容器のガス供給を制御する調節部と，前記調節部と連結されてガス供給を伝達する配管部と，を備える供給部と，
前記配管部に連結されてガス供給を伝達されてガス燃焼を行う燃焼部と，前記燃焼部の周りに折り畳まれるか拡開されるようにヒンジ結合されて容器を支える複数の支持部と，を備える調理部と，
前記供給部と前記調理部を連結し，前記配管部が配置され，本体ヒンジ部を介して前記供給部と互いに屈折可能にヒンジ結合されて折り畳まれるか拡開可能な延長部と，を含み，
前記配管部は，屈折可能な配管ヒンジ部を更に含み，前記配管ヒンジ部は，前記ガスコンロの本体ヒンジ部が屈折することに伴って屈折することを特徴とする 。
【発明の効果】
【００１７】
本発明によると，低コストで容易に製作可能で，非使用時にはガスコンロの体積を最小化するように実質的に折り畳んで体積を減らし，使用時には容易に広げることができるため，使用時に燃焼部とガス供給部の距離を最大遠くして安全度を上げ，保管時には重ねられた状態に提供されてその体積，特に長さを最小化することができ，携帯保管のための収納が容易である。
【図面の簡単な説明】
【００１８】
【図１Ａ】背景技術であって，一般に広く通用されるガスコンロの斜視図であり，右側の図面は開閉部を開放した状態である。
【図１Ｂ】背景技術であって， 登録実用新案第２０−０１７０５２２号（１９９９．１１．２７）のガスコンロである。
【図１Ｃ】背景技術であって， 登録特許第１０−１４７９４０１号（２０１４．１２．２９）のガスコンロの斜視図及び平面図であって，特に右側の平面図は使用のために折られた状態を示す例示図である。但し，図１に使用した符号は，図２以下に使用する符号とは関係のないものもある。
【図２Ａ】本発明の実施例であって，左右の図面は，完全に折り畳まれた状態をそれぞれ他方から示す斜視図である。
【図２Ｂ】本発明の実施例であって，支持台を一部広げた状態図である。
【図２Ｃ】本発明の実施例であって，供給部を一部広げた状態図である。
【図２Ｄ】本発明の実施例であって，左右の図面は，それぞれ異なる実施例を横断面で例示する図である。
【図３Ａ】本発明の実施例であって，略直角に折曲して使用可能な状態を示す例示図である。
【図３Ｂ】本発明の実施例であって，完全に水平になるように拡開して，大きい容器を適切に載置して使用可能な状態を例示する状態図である。
【図４Ａ】他の実施例であって，斜視図である。
【図４Ｂ】他の実施例であって，供給部が拡開された状態の例示を他の方向から斜視図で示す状態図である。但し，一部の構成要素（支持台，配管部）などの図示は省略している。
【図４Ｃ】他の実施例であって，長さの割合を例示するための側面図である。
【図５Ａ】また他の実施例であって，折り畳まれた状態及び拡開した状態の斜視図である。
【図５Ｂ】また他の実施例であって，分解斜視図である。
【図６】他の実施例によって分解されたものと組み立てられたものを拡大した側断面図である。
【発明を実施するための形態】
【００１９】
本発明のガスコンロは，
供給部と調理部を含むガスコンロにおいて，長さを有する延長部を更に含む。
【００２０】
非使用時に体積を最小化させるために，本体ヒンジ部を介して供給部と延長部を回動可能にして，供給部，延長部，及び調理部を一つに重ねることができるように構成し，また，支持部は調理部にヒンジ結合（ピボット）されて前記供給部に隣接するように離間，折りたたまれる構成を有する。
【００２１】
前記供給部の他端と前記延長部の一端は，屈折可能な本体ヒンジ部で連結され，前記調理部は前記延長部の他端に構成され，
折り畳みモードの際には，前記供給部の一端を前記調理部または前記延長部の他端に位置させて，前記供給部が前記延長部と並んで整列されるようにして体積を最小化し，
展開モードの際には，前記供給部と前記延長部が前記本体ヒンジ部を回転軸に屈折して，前記供給部と前記調理部が互いに離れるように構成される。
【００２２】
前記供給部はガスボンベを収納する収納部と，ガス供給を調節する調節部を含み，
前記調理部は燃焼が行われる燃焼部と，容器を支える支持台を備え，
前記支持台は，複数が提供されてそれぞれの一端が水平回転可能に前記燃焼部にヒンジ結合されて上に立てられた後，水平に折曲されて本体が容器を支えられるように配置され，更に水平に折曲されて他端が底に接触するように下に立てられるように提供され，
前記折畳モードの際には，前記支持台の本体が前記供給部の本体側やその反対側に折りたたまれ，
前記展開モードの際には，前記支持台の本体が前記調理部から放射状に拡開されるように構成される。
【００２３】
図２以降の図面と共に，本発明について詳細に説明する。但し，公知技術から引用可能なものはその説明を省略する。加えて，図１を参照する。
【００２４】
本発明の用途は，公知技術で使用される辞書的意味のものである。加えて，屈折とは，曲げられるか（折られるか）回転されて両部材間が広がるか縮んで角度が変わることを意味する。連結とは，両部材が互いに結合（結束，固定，取付）されて同体のようになるか，いずれか一方から他方が延長（形成）されることをいう。ヒンジ結合とは，屈折するように両者を連結することである。含む，形成する，構成する，及び備えるという用語は，同じ意味に使用される。
【００２５】
本発明の構成要素としては耐熱部材を採用することが好ましく，耐熱性部材とは，金属やセラミックや熱に強い合成樹脂などの部材をいう。
【００２６】
本発明のガスコンロは，供給部１００，延長部２００，及び調理部３００を含む。
【００２７】
供給部１００は，収納部１１０，調節部１２０，及び配管部１３０を含む。
【００２８】
図５及び図６において，収納部１１０はガス容器１３を収納し固定する開放空間である空間部１４ｒを有し，開閉可能な開閉部１４ｂが構成されてガス容器１３を収納，取り出しできる。一方，収納部１１０はそれ自体が供給部１００としてもよいが，この場合，供給部１００と収納部１１０は同じものとみなされる。
【００２９】
調節部１２０は他の構成要素と機械的干渉が起こらない範囲内で，供給部１００の一端１０１，供給部１００の他端１０２，または側面などに配置される。図５及び図６において，調節部１２０は供給部の他端１２０に構成される例を示している。一般に，収納部１１０にガス容器１３を収納する際，ガス容器１３を調節部１２０から取り外すことができ，調節部１２０は燃焼されるガス供給を調節し，ガス点火を制御する。図２乃至図４においては，調節部１２０が配置される位置のみ表示している。
【００３０】
図３Ａ，図５Ｂ及び，図６において，配管部１３０は，本体ヒンジ部ａ１に沿って共に屈折する配管ヒンジ部ａ２を含む。本体ヒンジ部ａ１は，供給部１００と延長部２００が互いに屈折する際に回転軸の役割をする。図３Ａに例示した配管ヒンジ部ａ２は，曲折可能なフレキシブルなガスホース部材で形成され，供給部１００と延長部２００が互いに屈折して折られるか拡開される際にそれと共に屈折するように構成されている。
【００３１】
それについては，図１のガス供給管１５を参照する。図５及び図６に例示するように，パイプの穴のように，本体ヒンジ部ａ１にはその長さに沿って配管通過孔が穿孔される。配管通過孔に，配管部１３０が一端１３１が挿入，通過して構成される配管ヒンジ部ａ２を追加してもよい。配管ヒンジ部ａ２を介して供給部１００から延長部２００に配管部１３０が接続される（連結される）。供給部１００と延長部２００が互いに回転して屈折する際，それに沿って配管ヒンジ部ａ２と共に回転されるかひねられる方法で配管部１３０が屈折される構成である。配管部１３０の一端１３１が供給部１００の調節部１２０に連結されてガス供給が調節され，配管部１３０の中間本体は延長部２００の長さ方向に配管されてガスを供給し，配管部１３０の他端１３２が調理部３００の燃焼部３１０に連結されて最終的にガスを供給する。
【００３２】
より詳しくは，配管ヒンジ部ａ２は，調節部１２０の下にガスノズルａ２ａが垂直に構成され，連結管ａ２ｂが備えられ，調節部１２０のガスノズルａ２ａと配管部１３０の一端１３１が連結管ａ２ｂの各端部に差込方式で連結されて，ガス漏出を防止しながら回転可能に構成される。
【００３３】
ガス点火を操作するために電気配線も配管部１３０に沿って共に構成され，燃焼部３１０のガス点火が調節部１２０で制御される。配管部１３０の一端１３１及び配管部１３０の他端１３２をそれぞれ調節部１２０及び燃焼部３１０に連結する具体的な方法は，公知のガス管の連結方法に従う。
【００３４】
図５及び図６において，本体ヒンジ部ａ１は，供給部１００の他端１０２の下方に垂直方向に孔を有する本体結合孔ａ１ａと，延長部２００の他端２０２の上方に突出された構成であって，本体結合孔ａ１ａに差し込まれて水平回転の軸となる本体回転軸ａ１ｂ及びそれを補助して維持する軸受ａ１ｃと，本体回転軸ａ１ｂから離隔され，延長部２００の他端２０２の上に溝が設けられて配置される角度制限溝ａ１ｄと，供給部１００の調節部１２０及び軸受ａ１ｃなどから下方に突出して形成され，角度制限溝ａ１ｄに差し込まれて係合することで左右の回転角度を制限する角度制限溝ａ１ｅと，を含む。
【００３５】
延長部２００は，所定の長さを有する硬質部材から成り，常に同一形状を維持するか，またはフレキシブルな部材からなって所定部分が曲げられて周辺環境に適応するように製作されてもよい。延長部２００は，供給部１００と同じ長さを有する。ここで，「同じ長さ」とは，最小長さから最大長さに転換するためにガスコンロを広げる際，熱源が発生する調理部３００からガス容器１３が内装された供給部１００を安全に離隔させる最小以上の長さをいう。図４Ｃに例示するように，延長部２００の長さは，供給部１００の長さの略半分（２０３）の長さの間で決められる。供給部１００は調理部３００と突き当たっており，調理部３００から供給部１００自体の長さだけ最長距離となる。もし，延長部２００の長さを供給部１００より長くするとそれだけ更に離間することができる。
【００３６】
延長部２００の形状は，供給部の外形に応じて，それに沿って平行に一直線に置かれて共に重ねられるようにする。美観をよくし，一体感を上げ，がたつくことを最小化するために，重ねられた後に供給部１００と一つになる一体の外形を維持することが好ましい。そのために，延長部２００の厚さ（幅）は，図４のように長方形板や杖（パイプ，棒）状にする。一方，ユニークさを表現するために外観に波状，ジグザグ状などが多様に施されてもよい。
【００３７】
延長部２００が配置される位置は，供給部１００の上下左右いずれにしてもよい。図４及び図５に例示するように，供給部１００が延長部２００の上方に配置されているが，この場合，供給部１００を延長部２００から広げる際の干渉が最小化される有利な点がある。すなわち，延長部２００が供給部１００の底面に配置されれば，その上に置かれる供給部１００が延長部２００から干渉されずに（障害なく）上方向や左右横方向に自由に屈曲することができる。配管部１３０は延長部２００に沿って配置されるため，配管部１３０が低く位置する。よって，調理部３００の燃焼部３１０から発生する熱気から下側により遠く離隔されるため，安全面で有利である。加えて，延長部２００自体がガスコンロの支持台の役割をすることができるため，ガスコンロを安定的に立てることができる。
【００３８】
延長部２００は，配管部１３０の外部露出を遮断して保護する隠蔽部ｃを含む。図３において，隠蔽部ｃはホースや管路状の保護管で形成される。図５及び図６に例示した隠蔽部ｃは，延長部２００の長さにそって内部通路が形成され，ここに配管部１３０を内装させるように設けられる。
【００３９】
調理部１３０において，調理部の一端３０１は延長部の他端２０２に連結される構成を有し，その上端の中央にガス点火及び燃焼が行われる燃焼部３１０が構成されるが，燃焼部３１０の周りには容器を支持する支持部３２０が備えられる。
【００４０】
図３及び図５において，支持部３２０は複数で適用されるが，それぞれの一端ｂ１が調理部３００に水平回転にヒンジ結合されて本体が上に立たされた後，水平方向に折曲された水平本体ｄ２が容器を支えるように配置され，更に下方向に折曲された垂直本体ｄ３が供給部の形状に対応するように製作された後，垂直本体ｄ３下端に位置する支持台他端ｂ３が底に接触して支持される。本体３２０は，ヒンジ結合を介して水平方向に折り畳まれるか拡開されるように構成される。
【００４１】
図２Ａ，図２Ｄ，及び図５Ａに示した本発明の支持部３２０は，供給部１００に対応して曲げられて供給部１００に密着接触される。支持部３２０の垂直本体ｄ３が，供給部１００の外形（外周，外観）を包むように重ねられて一体になるように対応して形成される。すなわち，支持部３２０の垂直本体ｄ３が供給部１００の横断面の外形に沿って対応して折曲される。それを介して，供給部１００側に支持部３２０を折り畳む際に両者が互いに良好な美観を提供し，一体感を上げ，がたつくことを最小化することができる。
【００４２】
仮に，図２Ａのように延長部２００が供給部１００の側面の一部を覆う構成であって支持部３２０が延長部２００に接触する場合であれば，延長部２００に接触する支持部３２０の本体，特に支持部３２０の垂直本体ｄ３は延長部２００の外形にも対応して折曲されるべきである。ここで，支持部３２０が供給部１００の形状に対応して折曲されることは，支持部３２０が延長部２００と接触する場合，支持部３２０が延長部２００の外形にも対応して折曲された形状を備えることを含む。
【００４３】
図２Ｄの紙面左側の図は，図４または図５のように供給部１００の本体が略円形である場合の横断面を示しており，支持部３２０の形状も同じく略円形に折曲されることを例示している。図２Ｄの紙面右側の図は，供給部の本体が箱状である場合の横断面であって，それに対応して支持部３２０も同じく四角状になるように折曲されることを例示している。図２Ｄの紙面左側の図の例示は，図４のように供給部２００と延長部２００が共に円形をなしてその断面が一体になった円形に提供される場合である。
【００４４】
供給部の他端１０２と延長部の一端２０１は，本体ヒンジ部ａ１でヒンジ結合される。すなわち，供給部１００と延長部２００は，本体ヒンジ部ａ１を介して互いに屈折可能に連結される。本体ヒンジ部ａ１の構成を屈折して折り畳むか広げると，
ガスコンロを非使用時（携帯・保管時）には供給部１００と延長部２００を互いに重ねて折り畳むことができる。すなわち，供給部の一端と１０１の延長部の他端２０２を互いに合わせることができる。それによって，供給部の一端１０１と調理部３００の一端３０１が互いに突き当たるようにすることができる。
【００４５】
すなわち，供給部１００と調理部３００を密着または近接させることができる。
【００４６】
逆に，ガスコンロを使用する際には供給部１００と延長部２００を互いに広げることができる。すなわち，供給部の一端と１０１の延長部の他端２０２を互いに離すことができる。それによって，供給部の一端１０１と調理部の一端３０１の距離が最大限遠くなるように離間することができる。すなわち，供給部１００と調理部３００を遠い距離に離隔して広げることができる。
【００４７】
供給部の一端１０１が調理部の一端３０１／延長部の他端２０２に接近して供給部１００と延長部２００が重ねられて体積が最小になり，逆に離れて体積が最大になるように，供給部の他端１０２と延長部の一端２０１は本体ヒンジ部ａ１を介して互いに屈折可能にヒンジ結合される。
【００４８】
本体ヒンジ部ａ１ははさみのように回転して，２次元平面上で方向ｆ１，ｆ２が屈折する通常のヒンジａ1’部材で採用される。また，本体ヒンジ部ａ１は，自在継手ａ1’’（Universal joint)，スフィアジョイント（sphere joint)，曲げられる合成樹脂部材などの３次元のどの方向にも方向転換が可能な部材で採用されて，多方向ｆ０に屈折可能に構成される。
【００４９】
それについては，図２Ｃ，図３，図４Ａ，図４Ｂ，図５，及び図６を参照する。
【００５０】
図２Ａ及び図５Ａのように折り畳まれている状態の折り畳みモードの際には，供給部の一端１０１と調理部の一端３０１／延長部の他端２０２が接触するか近距離に置かれて共に位置する。それによって，供給部１００が延長部２００と並んで整列されて互いに重ねられることができ，ガスコンロ全体の長さ及び幅を大きく減らすことで体積の最少化を達成することができる。この際，折り畳みモードが継続して維持されるようにロック装置を追加に構成してもよく，摩擦力を利用してロックが開放されないようにするか，または凹部と突起で提供される係止装置を追加してもよい。
【００５１】
支持部３２０を供給部１００の長さ方向に平行に整列することで，ガスコンロの左右の幅を減らすことができる。また，支持部３２０を折り綴じる際，図２Ａ及び図５Ａのように供給部１００側に折り畳んで供給部の外側に密着するように整列させると，ガスコンロの全体長さを更に最小化することができる。よって，支持部３２０の本体の形状は，供給部１００の外部形状を包んで重ねられるように供給部１００の本体の外形に対応する形状にすべきである。支持部３２０において，容器を支える上側水平本体ｄ２は供給部１００の本体長さの上側と並んで整列させ，下側に折曲されて地面を支える垂直本体ｄ３は供給部１００本体の横断面の左右側面を包んで下側に折曲すべきである。
【００５２】
それについては，図２Ａ，図２Ｄ，及び図５Ａを参照する。この際，支持部３２０の間で相互干渉が発生しないように必要な空間を離隔してもよいが，支持部３２０を供給部１００本体の外形に対応させる際にこれを含んで考慮する。
【００５３】
支持部３２０が供給部１００の外周辺に接してから折り畳み状態が維持されるよう，供給部と支持台に差込突起及び突起受けを構成してスナップのように一体にするか，磁石を利用して取り付けるか，ヒンジの回転軸の摩擦力を上げて，決められた状態が維持されるようにする。このようなことは，供給部１００と延長部２００の折り畳み状態を維持するためにも同じく適用される。
【００５４】
詳しくは，図３に示した実施例を調べると，支持部３２０は，調理部３００の他端に回動可能に連結された第１及び第２外側回転ピン３１ａ，３２ａと，一端が第１外側回転ピン３１ａに垂直するように両端に連結されて第１外側回転ピン３１ａを中心に回転可能な一対の第１外側延長ピン３１ｂと，第１外側延長ピン３１ｂの他端にそれぞれ連結されて第１外側延長ピン３１ｂを支持し，収納部１１０の側面と対応する形状である第１外側支持ピン３１ｃと，一端が第２外側回転ピン３２ａに垂直するように両端に連結されて第２外側回転ピン３２ａを中心に回転可能な一対の第２外側延長ピン３２ｂと，第２外側延長ピン３２ｄの他端にそれぞれ連結されて第２外側延長ピン３２ｂを支持し，延長部２００の側面と対応する形状である第２外側支持ピン３２ｃと，調理部３００の一端に回動可能に連結された第１及び第２内側回転ピン３３ａ，３４ａと，一端が第１内側回転ピン３３ａに垂直するように両端に連結されて第１内側回転ピン３３ａを中心に回転可能な一対の第１内側延長ピン３３ｂと，第１内側延長ピン３３ｂの他端にそれぞれ連結されて第１内側延長ピン３３ｂを支持し，収納部１１０の側面と対応する形状である第１内側支持ピン３３ｃと，一端が第２内側回転ピン３４ａに垂直するように両端に連結されて第２内側回転ピン３４ａを中心に回転可能な一対の第２内側延長ピン３４ｂと，第２内側延長ピン３４ｄの他端にそれぞれ連結されて第２内側延長ピン３４ｂを支持し，延長部２００の側面と対応する形状である第２内側支持ピン３４ｃと，を備える。
【００５５】
折り畳みモードの際には，第１及び第２外側延長ピン３１ｂ，３２ｂと前記第１及び第２内側延長ピン３３ｂ，３４ｂは収納部１１０の長さ方向と並んで配置され，第１外側支持ピン３１ｃと第１内側支持ピン３３ｃは収納部１１０の側面の周りに配置されて包み，第２外側支持ピン３２ｃと第２内側支持ピン３４ｃは延長部２００の側面の周りに配置されて包む。 
【００５６】
展開モードの際には，第１及び第２外側延長ピン３１ｂ，３２ｂと前記第１及び第２内側延長ピン３３ｂ，３４ｂは燃焼部３１０を中心に放射状に配置され，第１及び第２外側延長ピン３１ｂ，３２ｂと前記第１及び第２内側延長ピン３３ｂ，３４ｂを介して容器を支えることができる。
【００５７】
詳しくは，図５に示した実施例を調べると，支持部３２０は燃焼部３１０に回動可能に上下方向に連結された３つ以上の回転ピンｄ１と，それぞれの回転ピンｄ１の上端に連結されて水平配置され，回転ピンｄ１を中心に回転可能な３つ以上の水平本体ｄ２と，それぞれの水平本体ｄ２に連結されて水平本体ｄ２を支持し，前記収納部１１０の側面と対応する形状である３つ以上の垂直本体ｄ３と，を備える。
【００５８】
折り畳みモードの際には，水平本体ｄ２は供給部１００に向かって供給部１００と並んで整列され，垂直本体ｄ３は収納部１１０の側面の周りに配置されて包む。
【００５９】
展開モードの際には，水平本体ｄ２は燃焼部３００を中心に放射状に配置され，垂直本体ｄ３を介して容器を支える。
【００６０】
すなわち，展開モードの際には，支持部３２０の本体が調理部３００を中心に放射状に拡開されるようにして容器を支えるようにする。まず，図２Ｂにおいて，供給部１００の本体を包んでいる支持部３２０本体の調理部の他端３０２側に更に移動ｅ１させて，供給部１００が回転して動く道を開ける(空間を作る）。次に，図２Ｃにおいて，回転軸の役割をする本体ヒンジ部ａ１を回転させて供給部１００と延長部２００の間を展開状態ｆ１にする。すなわち，供給部１００と調理部３００が互いに離れるようにする。次に，図３Ａに例示するように，支持部３２０を更に延長部２００側に少し曲げて（移動させて），最終的に支持部３２０と相互対称の展開状態ｅ２をなすようにして，容器を支えるようにする。
【００６１】
容器の大きさによって，または周辺環境によって，図２Ｃに例示した鋭角，図３Ａに例示した直角，または図５Ａの右側の図に例示した鈍角のように，多様な角度に拡開された状態で調理することができる。また，図３Ｂに例示したように，完全に水平に拡開されたｆ２状態を維持して調理部３００から供給部１００を最大に離すようにしてもよいが，この際，体積が大きい容器を調理部３３０に載せても調理部３００の熱気から安全を維持することができる。
【００６２】
加えて，延長部２００の上に乗せられていた供給部１００を広げた後は，延長部２００の底面と供給部１００の底面の間には高さの段差ができて一方が浮いていればそちらの方向に傾く恐れがあるため，それを克服するために供給部１００の左右横の一側面の下に突出した段差支持台ｇ１を構成してもよい。
【図１Ａ】
0006795227.tif 000002
【図１Ｂ】
0006795227.tif 000003
【図１Ｃ】
0006795227.tif 000004
【図２】
0006795227.tif 000005
【図３Ａ】
0006795227.tif 000006
【図３Ｂ】
0006795227.tif 000007
【図４Ａ】
0006795227.tif 000008
【図４Ｂ】
0006795227.tif 000009
【図４Ｃ】
0006795227.tif 000010
【図５Ａ】
0006795227.tif 000011
【図５Ｂ】
0006795227.tif 000012
【図６】
0006795227.tif 000013